(57)【特許請求の範囲】
【請求項１】
変形自在に構成され、軟質包装材に形成された貫通孔を覆うように軟質包装材に貼り付けられた状態で、軟質包装材によって閉塞される内部空間と該内部空間に軟質包装材を介して隣接する外部空間との間で気体の流通を可能にする通気ラベルであって、
前記貫通孔を覆うように形成されて軟質包装材に対して接離する領域であって軟質包装材に対して吸着および粘着しないように構成された接離領域と、該接離領域と連続するように形成されて軟質包装材に対して再剥離および再吸着する剥離吸着領域と、軟質包装材に対する剥離強度が剥離吸着領域よりも高くなるように構成された貼付領域とを備えており、
前記接離領域は、通気ラベルが軟質包装材に貼り付けられた状態で軟質包装材に当接する層であって軟質包装材に対してタックフリーとなるように形成されて軟質包装材に対して接離する非貼付層を一対備えると共に、該一対の非貼付層間に定義される領域であって通気ラベルが軟質包装材に貼り付けられた状態で一対の非貼付層によって軟質包装材から離間した位置に保持される離間領域を更に備えており、
前記剥離吸着領域は、軟質包装材に対して再剥離および再吸着する剥離吸着層を備えており、
該剥離吸着層は、接離領域から剥離吸着領域に渡って連続して形成されると共に接離領域に位置する部分に前記非貼付層が積層されており、
剥離吸着層における非貼付層が積層された部分は、通気ラベルが軟質包装材に貼り付けられた状態で剥離吸着層の他の部分から隆起するように構成されており、
通気ラベルが軟質包装材に貼り付けられた状態で、剥離吸着層の端縁の少なくとも一部が外部空間と接するように構成される通気ラベル。
【発明の詳細な説明】
【技術分野】
【０００１】
本発明は、軟質包装材で閉塞された内部空間と該内部空間に軟質包装材を介して隣接する外部空間との間で気体の流通を可能にする通気ラベルに関する。
【背景技術】
【０００２】
従来、軟質包装材で閉塞された内部空間に物品が収容されてなる包装体においては、収容される物品の性質によって、包装体の内側の空間（内部空間）と外側の空間（外部空間）との間に気圧差が生じる場合がある。例えば、コーヒー豆や味噌等の物品が収容される場合、斯かる物品からは炭酸ガスが放出されるため、内部空間の気圧が外部空間よりも高くなる。また、焙煎されたコーヒー豆等の加熱された物品が収容される場合、斯かる物品の温度低下に伴って、内部空間の温度も低下することになるため、内部空間の気圧が外部空間よりも低くなる。
【０００３】
上述のように、内部空間と外部空間との間に気圧差が生じると、包装体が膨張して破裂してしまったり、包装体が萎んで軟質包装材にシワや凹凸が生じ、意匠性が低下してしまったりする場合がある。このため、内部空間と外部空間との間に生じた気圧差を解消する方法として、包装体を構成する軟質包装材に貫通孔を形成し、該貫通孔を覆うようにラベルを貼り付ける方法が提案されている。
【０００４】
斯かるラベルとしては、例えば、可撓性を有するフィルム片にスリットが形成されてなるラベルが知られている（特許文献１参照）。斯かるラベルは、軟質包装材に形成された貫通孔を覆うように軟質包装材に貼り付けられる際に、貫通孔とスリットとが重ならないようにすることで、貫通孔とスリットとが離間した状態になる。このため、外部空間から内部空間への異物の侵入を防止することができると共に、内部空間の気体をスリットから外部空間へ排出することが可能となっている。
【０００５】
また、他のラベルとしては、通気孔を設けたシート状の基材フィルムと、該基材フィルムに積層される弁フィルムとの間に気体の流路が形成されるものが知られている（特許文献２参照）。斯かるラベルでは、基材フィルムと弁フィルムとの間の流路となる領域にシリコンオイルが充填されている。そして、基材フィルムの通気孔が軟質包装材の貫通孔と重なるように斯かるラベルが軟質包装材に貼り付けられることで、内部空間の気体が貫通孔および通気孔を通じてシリコンオイル内に入り込み、斯かる気体がシリコンオイル内を移動してラベルの端縁に達することで、内部空間の気体を外部空間へ排出することが可能となっている。
【先行技術文献】
【特許文献】
【０００６】
【特許文献１】実開平６−５７８６１号公報
【特許文献２】特開２００６−２９８４６７号公報
【発明の概要】
【発明が解決しようとする課題】
【０００７】
しかしながら、特許文献１に開示されたラベルは、軟質包装材の貫通孔から離間した位置にスリットが配置されるものの、スリットと貫通孔とが連通した状態になり易く、外部空間から内部空間への異物の混入を効果的に防止することができない。また、特許文献２に開示されたラベルは、気体の流路がシリコンオイルで充填されているため、流路を通じて外部空間から内部空間へ異物が侵入し難い構造となっている。しかしながら、シリコンオイルを保持するためにも基材フィルムと弁フィルムとが必要であり、ラベルの構造内で気体を流通させるため、ラベルを構成する部材が多く、構造が複雑になる。このため、効率的に製造することができない。
【０００８】
そこで、本発明は、簡素な構成でありながら、軟質包装材で閉塞された内部空間の密封状態を良好に維持することができると共に、必要に応じて内部空間と外部空間との間での気体の流通を可能にして内部空間と外部空間との間の気圧差を解消することができる通気ラベルを提供することを課題とする。
【課題を解決するための手段】
【０００９】
本発明に係る通気ラベルは、変形自在に構成され、軟質包装材に形成された貫通孔を覆うように軟質包装材に貼り付けられた状態で、軟質包装材によって閉塞される内部空間と該内部空間に軟質包装材を介して隣接する外部空間との間で気体の流通を可能にする通気ラベルであって、前記貫通孔を覆うように形成されて軟質包装材に対して接離する領域であって軟質包装材に対して吸着および粘着しないように構成された接離領域と、該接離領域と連続するように形成されて軟質包装材に対して再剥離および再吸着する剥離吸着領域と、軟質包装材に対する剥離強度が剥離吸着領域よりも高くなるように構成された貼付領域とを備えており、前記接離領域は、通気ラベルが軟質包装材に貼り付けられた状態で軟質包装材に当接する層であって軟質包装材に対してタックフリーとなるように形成されて軟質包装材に対して接離する非貼付層を一対備えると共に、該一対の非貼付層間に定義される領域であって通気ラベルが軟質包装材に貼り付けられた状態で一対の非貼付層によって軟質包装材から離間した位置に保持される離間領域を更に備えており、前記剥離吸着領域は、軟質包装材に対して再剥離および再吸着する剥離吸着層を備えており、該剥離吸着層は、接離領域から剥離吸着領域に渡って連続して形成されると共に接離領域に位置する部分に前記非貼付層が積層されており、剥離吸着層における非貼付層が積層された部分は、通気ラベルが軟質包装材に貼り付けられた状態で剥離吸着層の他の部分から隆起するように構成されており、通気ラベルが軟質包装材に貼り付けられた状態で、剥離吸着層の端縁の少なくとも一部が外部空間と接するように構成される。
【００１０】
斯かる構成によれば、通気ラベルが軟質包装材に貼り付けられた際には、接離領域が貫通孔を覆った状態になると共に、剥離吸着領域が軟質包装材に吸着し、貼付領域が軟質包装材に貼り付いた状態となる。そして、内部空間と外部空間との気圧差が所定値を超えた際に、通気ラベルと軟質包装材との間に気体の流路（以下、通気路とも記す）が形成される。これにより、内部空間と外部空間との間で通気路を通じた気体の流通が可能となり、内部空間と外部空間との気圧差が解消される。
【００１１】
具体的には、上述のように、通気ラベルが軟質包装材に貼り付けられた状態において、内部空間の気圧（以下、内圧とも記す）が外部空間の気圧（以下、外圧とも記す）よりも高くなると、貫通孔から排出される気体の圧力が接離領域に加わることになる。そして、内部空間と外部空間との気圧差が所定値を超えることで、接離領域が貫通孔から排出される気体の圧力によって押圧されて軟質包装材から離れる方向に相対的に変位する。また、このように接離領域が変位することによって、剥離吸着領域が接離領域側の位置において軟質包装材から剥離される。これにより、接離領域と軟質包装材との間に貫通孔から排出された気体が入り込む。
【００１２】
そして、剥離吸着領域と軟質包装材との間に入り込んだ気体は、内圧の作用によって剥離吸着領域を軟質包装材から剥離させつつ通気ラベルの端部へ向かって移動する。そして、剥離吸着領域と軟質包装材との間に入り込んだ気体が剥離吸着領域における外部空間と接する端縁にまで達することで、通気ラベル（具体的には、剥離吸着領域および接離領域）と軟質包装材との間に通気路が形成される。該通気路は、貫通孔を介して内部空間と連通すると共に、剥離吸着領域の端縁と重なる位置で外部空間と連通する。つまり、該通気路が形成されることで、内部空間と外部空間とが連通した状態となるため、内部空間の気体が該通気路を通じて外部空間へ放出され、内部空間と外部空間との気圧差を解消することができる。
【００１３】
そして、上記のようにして内部空間と外部空間との気圧差が解消された後は、剥離吸着領域が軟質包装材から剥離した状態および接離領域が変位した状態を内圧によって維持することができなくなるため、剥離吸着領域が軟質包装材に再吸着すると共に、接離領域が変位前の状態に復元する。これにより、貫通孔が密閉されて内部空間の密封状態が再び良好に維持される。
【００１４】
逆に、内圧が外圧よりも低い場合には、外圧の作用によって軟質包装材が変形し、軟質包装材にシワや凹凸が形成される。そして、内部空間と外部空間との気圧差が所定値を超えた際に、軟質包装材の変形によって、剥離吸着領域が軟質包装材から剥離すると共に、接離領域が軟質包装材から離れる方向に相対的に変位する。これにより、通気ラベル（具体的には、剥離吸着領域および接離領域）と軟質包装材との間に、上述したような通気路が形成されるため、外部空間の気体が通気路を通じて貫通孔から内部空間へ流入する。これにより、内部空間と外部空間との気圧差を解消することができる。
【００１５】
上記のようにして内部空間と外部空間との気圧差が解消された後は、軟質包装材の変形が解消されるため、剥離吸着領域が軟質包装材に再吸着すると共に、接離領域が変位前の状態に復元する。これにより、貫通孔が密閉されて内部空間の密封状態が再び良好に維持される。
【００１６】
また、通気ラベルが軟質包装材から部分的に剥離することによって通気ラベルと軟質包装材との間に通気路が形成され、該通気路を通じて内部空間と外部空間との間で気体の流通が可能となる。このため、従来技術のように、ラベルの積層構造内を気体が移動するように構成された場合よりも、簡素な構成の通気ラベルとすることができ、効率的に製造することができる。
【００１９】
また、前記接離領域は、軟質包装材に対して吸着および粘着しないように構成されてもよい。
【００２０】
斯かる構成によれば、接離領域が軟質包装材に対して吸着性および粘着性を有さないように構成されることで、貫通孔から排出される気体の圧力によって接離領域が軟質包装材から離れる方向へ相対的に容易に変位可能となる。このため、内圧が外圧よりも高い場合において内部空間と外部空間との気圧差が比較的小さい場合（即ち、接離領域に加わる気圧が比較的低い場合）であっても、接離領域が軟質包装材から離れる方向に相対的に変位するため、上述のような通気路が形成される。つまり、接離領域に加わる気圧が比較的低圧力であっても通気路を通じて内部空間と外部空間との間で気体の流通が行われるため、内部空間と外部空間との気圧差を解消することができる。
【発明の効果】
【００２１】
以上のように、本発明によれば、簡素な構成でありながら、軟質包装材で閉塞された内部空間の密封状態を良好に維持することができると共に、必要に応じて内部空間と外部空間との間での気体の流通を可能にして内部空間と外部空間との気圧差を解消することができる。
【図面の簡単な説明】
【００２２】
【図１】（ａ）は、第一実施形態に係る通気ラベルが包装体（軟質包装材）に貼り付けられた状態を示す斜視図と一部拡大図、（ｂ）は、（ａ）のＸ−Ｘ断面における通気ラベルを示した断面図。
【図２】図１（ａ）のＹ−Ｙ断面を示した断面図であって、（ａ）は、内部空間と外部空間との間に気圧差が生じる前の状態を示した断面図、（ｂ）は、気圧差が生じて剥離吸着領域が剥離し始めた状態を示した断面図、（ｃ）は、通気路が形成された状態を示した断面図。
【図３】第二実施形態に係る通気ラベルが包装体（軟質包装材）に貼り付けられた状態を示した図であって、（ａ）は、平面図、（ｂ）は、（ａ）のＸ−Ｘ断面の通気ラベルを示した断面図、（ｃ）は、（ａ）のＹ−Ｙ断面の通気ラベルを示した断面図。
【図４】図３（ａ）のＹ−Ｙ断面を示した断面図であって、（ａ）は、内部空間と外部空間との間に気圧差が生じる前の状態を示した断面図、（ｂ）は、気圧差が生じて閉塞領域および剥離吸着領域が剥離し始めた状態を示した断面図、（ｃ）は、通気路が形成された状態を示した断面図。
【図５】（ａ）は、他の実施形態に係る通気ラベルを示した平面図、（ｂ）は、更に他の実施形態に係る通気ラベルを示した平面図、（ｃ）は、更に他の実施形態に係る通気ラベルを示した平面図、（ｄ）は、更に他の実施形態に係る通気ラベルを示した平面図。
【図６】（ａ）は、更に他の実施形態に係る通気ラベルを示した平面図、（ｂ）は、更に他の実施形態に係る通気ラベルを示した平面図、（ｃ）は、更に他の実施形態に係る通気ラベルを示した平面図、（ｄ）は、更に他の実施形態に係る通気ラベルを示した平面図。
【図７】（ａ）は、更に他の実施形態に係る通気ラベルを示した平面図、（ｂ）は、更に他の実施形態に係る通気ラベルを示した平面図、（ｃ）は、更に他の実施形態に係る通気ラベルを示した平面図、（ｄ）は、更に他の実施形態に係る通気ラベルを示した平面図。
【図８】（ａ）は、更に他の実施形態に係る通気ラベルを示した平面図、（ｂ）は、更に他の実施形態に係る通気ラベルを示した平面図、（ｃ）は、更に他の実施形態に係る通気ラベルを示した断面斜視図、（ｄ）は、更に他の実施形態に係る通気ラベルを示した断面斜視図。
【図９】更に他の実施形態に係る通気ラベルが包装体（軟質包装材）に貼り付けられた状態を示した図であって、（ａ）は、平面図、（ｂ）は、（ａ）のＸ−Ｘ断面の通気ラベルを示した断面図、（ｃ）は、（ａ）のＹ−Ｙ断面の通気ラベルを示した断面図。
【図１０】図９（ａ）のＹ−Ｙ断面を示した断面図であって、（ａ）は、内部空間と外部空間との間に気圧差が生じる前の状態を示した断面図、（ｂ）は、気圧差が生じて閉塞領域および剥離吸着領域が剥離し始めた状態を示した断面図、（ｃ）は、通気路が形成された状態を示した断面図。
【発明を実施するための形態】
【００２３】
＜第一実施形態＞
以下、本発明の第一実施形態について図１および２を参照しながら説明する。なお、以下の図面において同一または相当する部分には同一の参照符号を付しその説明は繰り返さない。
【００２４】
本実施形態に係る通気ラベル１は、図１（ａ）に示すように、軟質包装材Ａに貼り付けられるものである。該軟質包装材Ａは、物品を包装可能に構成され、物品を包装した状態で、包装体Ｂを構成する。また、軟質包装材Ａは、貫通孔Ａ１を備える。これにより、包装体Ｂが形成された状態で軟質包装材Ａによって閉塞される内部空間Ｒ１と該内部空間Ｒ１に軟質包装材Ａを介して隣接する外部空間Ｒ２とが貫通孔Ａ１によって連通した状態となる。貫通孔Ａ１は、軟質包装材Ａにおける通気ラベル１（具体的には、後述する接離領域４）で覆われる領域に複数形成される。貫通孔Ａ１の形状としては、特に限定されるものではなく、開口面を有する形状（例えば、円形状や四角形状等）やスリットのように線状であってもよい。
【００２５】
通気ラベル１は、軟質包装材Ａに対して再剥離性および再吸着性を有する剥離吸着領域２と、軟質包装材Ａに対する剥離強度が剥離吸着領域２よりも高い貼付領域３と、貫通孔Ａ１を覆うように形成されて軟質包装材Ａに対して接離可能に構成された接離領域４とを備える。
【００２６】
剥離吸着領域２は、通気ラベル１が軟質包装材Ａに貼り付けられた状態で、端縁の少なくとも一部が外部空間Ｒ２と接するように構成される。具体的には、剥離吸着領域２は、通気ラベル１（具体的には、後述する本体層５）の外周縁よりも内側の位置と通気ラベル１（具体的には、後述する本体層５）の外周縁に重なる位置との間に連続的（具体的には、帯状）に形成される。より詳しくは、剥離吸着領域２は、接離領域４と連続するように形成され、接離領域４と通気ラベル１（具体的には、後述する本体層５）の外周縁に重なる位置との間に連続的に形成される。また、剥離吸着領域２は、四角形状に形成された通気ラベル１（具体的には、後述する本体層５）の一方向に沿って接離領域４を中心に一対形成される。
【００２７】
貼付領域３は、通気ラベル１における剥離吸着領域２および接離領域４以外の領域に形成される。本実施形態では、通気ラベル１（具体的には、後述する本体層５）の一方向に直行する他方向の両端縁と剥離吸着領域２および接離領域４との間に形成される。つまり、本実施形態では、２つの貼付領域３の間に剥離吸着領域２および接離領域４が形成される。
【００２８】
接離領域４は、本実施形態では、軟質包装材Ａに対して再剥離性および再吸着性を有するように構成される。また、接離領域４は、通気ラベル１が軟質包装材Ａに貼り付けられた際に、複数の貫通孔Ａ１を覆うように形成される。これにより、通気ラベル１が軟質包装材Ａに貼り付けられた際に貫通孔Ａ１の周囲に接離領域４が吸着するため貫通孔Ａ１が密閉される。
【００２９】
また、図１（ｂ）に示すように、通気ラベル１は、変形自在な本体層５と、該本体層５の少なくとも一方の面に形成される粘着層６とを備える。本体層５は、変形自在な樹脂フィルムを用いて形成される。特に、軟質包装材Ａと同等の柔軟性を有する樹脂フィルムを用いることが好ましい。樹脂フィルムを構成する原料としては、特に限定されるものではなく、例えば、ポリエチレンテレフタレート、ポリプロピレン等が挙げられる。樹脂フィルムの厚みとしては、特に限定されるものではなく、例えば、１２μｍ以上２００μｍ以下であることが好ましく、１６μｍ以上７５μｍ以下であることがより好ましい。本体層５の面積（即ち、通気ラベル１の面積）としては、貫通孔Ａ１（貫通孔Ａ１が複数の場合には、その全て）を覆うことが可能な面積であれば、特に限定されるものではない。
【００３０】
粘着層６は、軟質包装材Ａに対して再剥離性および再吸着性を有する樹脂を用いて形成された剥離吸着層６ａと、軟質包装材Ａに対する剥離強度が剥離吸着層６ａよりも高い貼付層６ｂとが積層されて構成される。
【００３１】
剥離吸着層６ａは、貼付層６ｂよりも面積が小さくなるように形成され、貼付層６ｂの外周よりも内側の領域（具体的には、略中央部）に配置される。また、剥離吸着層６ａの厚みとしては、特に限定されるものではなく、例えば、１μｍ以上２０μｍ以下であることが好ましく、６μｍ前後（具体的には、２μｍ以上１０μｍ以下）であることがより好ましい。剥離吸着層６ａを構成する樹脂としては、特に限定されるものではなく、例えば、シリコーン（メタ）アクリレート類の重合体、長鎖アルキルアクリレート重合体等が挙げられる。剥離吸着層６ａの軟質包装材Ａに対する剥離強度（即ち、剥離吸着領域２の剥離強度）としては、特に限定されるものではない。
【００３２】
また、剥離吸着層６ａを形成する方法としては、特に限定されるものではないが、軟質包装材Ａに対して再剥離性および再吸着性を有する樹脂を含有する塗料、インク、又は、ニスから選択される少なくとも一つを本体層５の少なくとも一方の面側（具体的には、貼付層６ｂ）に印刷（好ましくは、フレキソ印刷）する方法を用いることが好ましい。斯かる方法を用いることで、剥離吸着層６ａの形状を任意の形状に容易に形成することができる。
【００３３】
貼付層６ｂは、本体層５の一方の面に粘着剤が塗工されて形成される。そして、上述のように、貼付層６ｂの一方の面に剥離吸着層６ａが積層（好ましくは、印刷）される（即ち、本体層５と剥離吸着層６ａとの間に貼付層６ｂが配置される）ことで、貼付層６ｂには、剥離吸着層６ａによって被覆された領域と、該領域以外であって貼付層６ｂが露出した領域とが形成される。これにより、剥離吸着層６ａと貼付層６ｂとが積層された領域（換言すれば、剥離吸着層６ａで貼付層６ｂが被覆された領域）によって剥離吸着領域２および接離領域４が形成され、貼付層６ｂにおける剥離吸着層６ａが積層されていない領域（換言すれば、貼付層６ｂが露出した領域）によって貼付領域３が形成される。
【００３４】
貼付層６ｂの厚みとしては、特に限定されるものではなく、例えば、１０μｍ以上５０μｍ以下であることが好ましく、１５μｍ以上２５μｍ以下であることがより好ましい。貼付層６ｂを構成する粘着剤としては、特に限定されるものではなく、例えば、アクリル酸ブチルホモポリマー又はコポリマー、アクリル酸−２−エチルヘキシルホモポリマー又はコポリマー、天然ゴム等が挙げられる。貼付層６ｂの軟質包装材Ａに対する剥離強度（即ち、貼付領域３の剥離強度）としては、特に限定されるものではなく、例えば、２００Ｎ／ｍ以上１２００Ｎ／ｍ以下であることが好ましく、４００Ｎ／ｍ以上８００Ｎ／ｍ以下であることがより好ましい。
【００３５】
次に、上記のように構成される通気ラベル１の使用方法について説明する。図２（ａ）に示すように、通気ラベル１の中央部（具体的には、接離領域４）によって複数の貫通孔Ａ１が覆われるように通気ラベル１が軟質包装材Ａ（包装体Ｂ）に貼り付けられる。この際、接離領域４は、軟質包装材Ａにおける貫通孔Ａ１の周辺領域に吸着するため、貫通孔Ａ１が接離領域４によって密閉される。剥離吸着領域２は、接離領域４から通気ラベル１の端縁に重なる位置まで連続的に軟質包装材Ａに吸着する。これらにより、内部空間（包装体Ｂにおける物品を収容する空間）Ｒ１が密封された状態に維持される。
【００３６】
一方、貼付領域３は、軟質包装材Ａにおける通気ラベル１と重なる領域のうち、剥離吸着領域２および接離領域４と重なる領域以外の領域に貼り付けられる。これにより、通気ラベル１は、貼付領域３によって軟質包装材Ａに固定されるため、軟質包装材Ａの変形等の影響によって、通気ラベル１の全体が、軟質包装材Ａ（包装体Ｂ）から意図せずに剥離してしまうのが防止される。
【００３７】
上記のようにして軟質包装材Ａに貼り付けられた通気ラベル１は、内部空間Ｒ１と外部空間Ｒ２との気圧差が所定値を超えた際に、内部空間Ｒ１と外部空間Ｒ２との間で気体の流通を可能にする。
【００３８】
具体的には、内部空間Ｒ１の気圧（以下、内圧とも記す）が外部空間Ｒ２の気圧（以下、外圧とも記す）よりも高くなると、貫通孔Ａ１から排出される気体の圧力が接離領域４に加わることになる。そして、内部空間Ｒ１と外部空間Ｒ２との気圧差が所定値を超えることで、図２（ｂ）に示すように、接離領域４が貫通孔Ａ１から排出される気体の圧力によって押圧されて軟質包装材Ａから離れる方向に相対的に変位（具体的には、接離領域４が軟質包装材Ａから剥離）する。また、このような接離領域４の変位によって、剥離吸着領域２が接離領域４側の位置において軟質包装材Ａから剥離される。これにより、接離領域４と軟質包装材Ａとの間に貫通孔Ａ１から排出された気体が剥離吸着領域２と軟質包装材Ａとの間に入り込む。
【００３９】
そして、剥離吸着領域２と軟質包装材Ａとの間に入り込んだ気体は、内圧の作用によって剥離吸着領域２を軟質包装材Ａから剥離させつつ通気ラベル１の端部へ向かって移動する。そして、剥離吸着領域２と軟質包装材Ａとの間に入り込んだ気体が剥離吸着領域２における外部空間Ｒ２と接する端縁（通気ラベル１の端縁）にまで達することで、図２（ｃ）に示すように、通気ラベル１（具体的には、剥離吸着領域２および接離領域４）と軟質包装材Ａとの間に通気路Ｖが形成される。該通気路Ｖは、貫通孔Ａ１を介して内部空間Ｒ１と連通すると共に、剥離吸着領域２の端縁と重なる位置で外部空間Ｒ２と連通する。つまり、該通気路Ｖが形成されることで、内部空間Ｒ１と外部空間Ｒ２とが連通した状態となるため、内部空間Ｒ１の気体が該通気路Ｖを通じて外部空間Ｒ２へ放出され、内部空間Ｒ１と外部空間Ｒ２との気圧差を解消することができる。なお、気圧差が解消された状態とは、気圧差が０である場合、又は、気圧差が所定の範囲内である場合をいう。
【００４０】
そして、上記のようにして内部空間Ｒ１と外部空間Ｒ２との気圧差が解消された後は、剥離吸着領域２が軟質包装材Ａから剥離した状態および接離領域４が変位した状態を内圧によって維持することができなくなるため、剥離吸着領域２が軟質包装材Ａに再吸着すると共に、接離領域４が変位前の状態に復元して軟質包装材Ａに吸着する。これにより、貫通孔Ａ１が密閉されて内部空間Ｒ１の密封状態が再び維持される。
【００４１】
逆に、内圧が外圧よりも低い場合には、外圧によって軟質包装材Ａが変形し、軟質包装材Ａにシワや凹凸が形成される。そして、内部空間Ｒ１と外部空間Ｒ２との気圧差が所定値を超えた際に、軟質包装材Ａの変形によって、剥離吸着領域２が軟質包装材Ａから剥離すると共に、接離領域４が軟質包装材Ａから離れる方向に相対的に変位（具体的には、接離領域４が軟質包装材Ａから剥離）する。これにより、通気ラベル１（具体的には、剥離吸着領域２および接離領域４）と軟質包装材Ａとの間に、上述したような通気路Ｖが形成されるため、外部空間Ｒ２の気体が通気路Ｖを通じて貫通孔Ａ１から内部空間Ｒ１へ流入する。これにより、内部空間Ｒ１と外部空間Ｒ２との気圧差を解消することができる。
【００４２】
そして、上記のようにして内部空間Ｒ１と外部空間Ｒ２との気圧差が解消された後は、軟質包装材Ａの変形が解消されるため、剥離吸着領域２が軟質包装材Ａに再吸着すると共に、接離領域４が変位前の状態に復元して軟質包装材Ａに再吸着する。これにより、貫通孔Ａ１が密閉されて内部空間Ｒ１の密封状態が再び維持される。
【００４３】
以上のように、通気ラベル１を用いることによって、内部空間Ｒ１の密封状態を維持することができると共に、必要に応じて内部空間Ｒ１と外部空間Ｒ２との間で気体の流通を可能して、内部空間Ｒ１と外部空間Ｒ２との気圧差を解消することができる。
【００４４】
また、通気ラベル１が軟質包装材Ａから部分的に剥離することによって通気ラベル１と軟質包装材Ａとの間に通気路Ｖが形成され、該通気路Ｖを通じて内部空間Ｒ１と外部空間Ｒ２との間で気体の流通が可能となる。このため、従来技術のように、ラベルの積層構造内を気体が移動するように構成されたラベルよりも、簡素な構成の通気ラベルとすることができ、効率的に製造することができる。
【００４５】
＜第二実施形態＞
次に、本発明の第二実施形態について、図３および４を用いて説明する。第二実施形態に係る通気ラベル１０は、主に、接離領域４０の構成が異なり、それに伴って粘着層６０の構成も一部異なる。従って、以下では、第一実施形態と異なる点を中心に説明し、同一の構成に対しては同一の符号を付すこととして説明を省略する。
【００４６】
通気ラベル１０は、軟質包装材Ａに対して吸着性および粘着性を有さない（以下、タックフリーとも記す）ように構成された接離領域４０を備える。該接離領域４０は、図３（ａ）に示すように、剥離吸着領域２の幅方向の端縁よりも貼付領域３の内側に部分的に突出するように形成される。
【００４７】
また、通気ラベル１０は、図３（ｂ）および図３（ｃ）に示すように、剥離吸着層６ａおよび貼付層６ｂに加え、軟質包装材Ａに対して接離可能に（具体的には、タックフリーとなるように）構成された非貼付層４０ａを備える。つまり、通気ラベル１０は、剥離吸着層６ａと貼付層６ｂと非貼付層４０ａとから構成される粘着層６０を備える。非貼付層４０ａは、軟質包装材Ａにおける貫通孔Ａ１が形成された領域を覆うように形成される。また、非貼付層４０ａは、剥離吸着層６ａおよび貼付層６ｂよりも面積が小さくなるように形成され、本体層５の外周縁よりも内側の領域に配置される。具体的には、非貼付層４０ａは、本体層５の外周縁よりも内側の領域において、剥離吸着層６ａの一方の面（具体的には、略中央部）に積層されると共に、貼付層６ｂの一方の面における剥離吸着層６ａに隣接する領域に積層される。つまり、非貼付層４０ａは、剥離吸着層６ａと貼付層６ｂとの境界を跨ぐように配置される。これにより、粘着層６０における剥離吸着層６ａと貼付層６ｂと非貼付層４０ａとが積層された領域（換言すれば、非貼付層４０ａで剥離吸着層６ａが被覆された領域）によって接離領域４０が形成され、剥離吸着層６ａにおける非貼付層４０ａが積層されていない領域（換言すれば、剥離吸着層６ａが露出した領域）によって剥離吸着領域２が形成され、貼付層６ｂにおける剥離吸着層６ａおよび非貼付層４０ａが積層されていない領域（換言すれば、貼付層６ｂが露出した領域）によって貼付領域３が形成される。
【００４８】
非貼付層４０ａの厚みとしては、特に限定されるものではなく、例えば、１２μｍ以上１００μｍ以下であることが好ましく、１６μｍ以上８０μｍ以下であることが好ましい。また、非貼付層４０ａを形成する方法としては、特に限定されるものではないが、軟質包装材Ａに対して吸着性および粘着性を有さない樹脂を含有する塗料を本体層５の少なくとも一方の面側（具体的には、剥離吸着層６ａ）に印刷（好ましくは、フレキソ印刷）して非貼付層４０ａを形成する方法を用いることが好ましい。斯かる方法を用いることで、非貼付層４０ａの形状を任意の形状に容易に形成することができる。又は、軟質包装材Ａに対して吸着性および粘着性を有さない樹脂フィルムを本体層５の少なくとも一方の面側（具体的には、剥離吸着層６ａ）に積層して非貼付層４０ａを形成する方法であってもよい。
【００４９】
非貼付層４０ａを形成する原料としては、特に限定されるものではなく、例えば、ポリプロピレン，ポリエチレン，ポリスチレン等を用いることができる。なお、包装体Ｂに収容される内容物が食品である場合には、非貼付層４０ａを形成する原料として食品衛生法の溶出基準を満たすものを用いることが好ましい。これにより、内容物が接離領域４０に接触した場合であっても、食品衛生法の溶出基準に挙げられる物質によって内容物が汚染されるのを防止することができる。
【００５０】
次に、上記のように構成される通気ラベル１０の使用方法について説明する。図４（ａ）に示すように、通気ラベル１０の中央部（具体的には、接離領域４０）によって複数の貫通孔Ａ１が覆われるように通気ラベル１０が軟質包装材Ａ（包装体Ｂ）に貼り付けられる。この際、接離領域４０（具体的には、非貼付層４０ａ）は、軟質包装材Ａにおける貫通孔Ａ１の周辺領域に当接（密着）するため、貫通孔Ａ１が接離領域４０（具体的には、非貼付層４０ａ）によって閉塞される。剥離吸着領域２は、接離領域４０から通気ラベル１０の端縁に重なる位置まで連続的に軟質包装材Ａに吸着する。これらにより、内部空間（包装体Ｂにおける物品を収容する空間）Ｒ１が密封された状態に維持される。
【００５１】
一方、貼付領域３は、軟質包装材Ａにおける通気ラベル１０と重なる領域のうち、剥離吸着領域２および接離領域４０と重なる領域以外の領域に貼り付けられる。これにより、通気ラベル１０は、貼付領域３によって軟質包装材Ａに固定されるため、軟質包装材Ａの変形等の影響によって、通気ラベル１０の全体が、軟質包装材Ａ（包装体Ｂ）から意図せずに剥離してしまうのが防止される。
【００５２】
上記のようにして軟質包装材Ａに貼り付けられた通気ラベル１０は、内部空間Ｒ１と外部空間Ｒ２との気圧差が所定値を超えた際に、内部空間Ｒ１と外部空間Ｒ２との間で気体の流通を可能にする。
【００５３】
具体的には、内圧が外圧よりも高くなると、貫通孔Ａ１から排出される気体の圧力が接離領域４０に加わることになる。そして、内部空間Ｒ１と外部空間Ｒ２との気圧差が所定値を超えることで、図４（ｂ）に示すように、接離領域４０が貫通孔Ａ１から排出される気体の圧力によって押圧されて軟質包装材Ａから離れる方向に相対的に変位（具体的には、接離領域４０が軟質包装材Ａから離間）する。ここで、非貼付層４０ａは、軟質包装材Ａに対して接離可能であるため（具体的には、タックフリーであるため）、内圧によって接離領域４０が軟質包装材Ａから容易に離間する。そして、斯かる接離領域４０の変位に伴って剥離吸着領域２が接離領域４０側の位置において軟質包装材Ａから剥離される。これにより、接離領域４０と軟質包装材Ａとの間に貫通孔Ａ１から排出された気体が剥離吸着領域２と軟質包装材Ａとの間に入り込む。
【００５４】
このように剥離吸着領域２と軟質包装材Ａとの間に入り込んだ気体は、内圧の作用によって剥離吸着領域２を軟質包装材Ａから剥離させつつ通気ラベル１０の端部へ向かって移動する。そして、剥離吸着領域２と軟質包装材Ａとの間に入り込んだ気体が剥離吸着領域２における外部空間Ｒ２と接する端縁（通気ラベル１０の端縁）にまで達することで、図４（ｃ）に示すように、通気ラベル１０（具体的には、剥離吸着領域２および接離領域４０）と軟質包装材Ａとの間に通気路Ｖが形成される。該通気路Ｖは、貫通孔Ａ１を介して内部空間Ｒ１と連通すると共に、剥離吸着領域２の端縁と重なる位置で外部空間Ｒ２と連通する。つまり、該通気路Ｖが形成されることで、内部空間Ｒ１と外部空間Ｒ２とが連通した状態となるため、内部空間Ｒ１の気体が該通気路Ｖを通じて外部空間Ｒ２へ放出され、内部空間Ｒ１と外部空間Ｒ２との気圧差を解消することができる。
【００５５】
そして、上記のようにして内部空間Ｒ１と外部空間Ｒ２との気圧差が解消された後は、軟質包装材Ａから剥離吸着領域２が剥離した状態および接離領域４０が変位した状態を内圧によって維持することができなくなるため、剥離吸着領域２が軟質包装材Ａに再吸着すると共に、接離領域４０が変位前の状態に復元して軟質包装材Ａに当接する。これにより、貫通孔Ａ１が閉塞されて内部空間Ｒ１の密封状態が再び維持される。
【００５６】
逆に、内圧が外圧よりも低い場合には、外圧によって軟質包装材Ａが変形し、軟質包装材Ａにシワや凹凸が形成される。そして、内部空間Ｒ１と外部空間Ｒ２との気圧差が所定値を超えた際に、軟質包装材Ａの変形によって、剥離吸着領域２が軟質包装材Ａから剥離すると共に、接離領域４０が軟質包装材Ａから離れる方向に相対的に変位（具体的には、接離領域４０が軟質包装材Ａから離間）する。これにより、通気ラベル１０（具体的には、剥離吸着領域２および接離領域４０）と軟質包装材Ａとの間に、上述したような通気路Ｖが形成されるため、外部空間Ｒ２の気体が通気路Ｖを通じて貫通孔Ａ１から内部空間Ｒ１へ流入する。これにより、内部空間Ｒ１と外部空間Ｒ２との気圧差を解消することができる。
【００５７】
そして、上記のようにして内部空間Ｒ１と外部空間Ｒ２との気圧差が解消された後は、軟質包装材Ａの変形が解消されるため、剥離吸着領域２が軟質包装材Ａに再吸着すると共に、接離領域４０が変位前の状態に復元し軟質包装材Ａに当接して貫通孔Ａ１が閉塞される。これにより、貫通孔Ａ１が密閉されて内部空間Ｒ１の密封状態が再び維持される。
【００５８】
以上のように、接離領域４０が軟質包装材Ａに対して吸着性および粘着性を有さないように（タックフリーに）構成されることで、貫通孔Ａ１から排出される気体の圧力によって接離領域４０が軟質包装材Ａから離れる方向へ相対的に容易に変位可能となる。このため、内圧が外圧よりも高い場合において内部空間と外部空間との気圧差が比較的小さい場合（即ち、接離領域４０に加わる気圧が比較的低い場合）であっても接離領域４０が軟質包装材Ａから離れる方向に相対的に変位するため、上述のような通気路Ｖが形成される。つまり、接離領域４０に加わる気圧が比較的低圧力であっても通気路Ｖを通じて内部空間と外部空間との間で気体の流通が行われるため、内部空間と外部空間との気圧差を解消することができる。
【００５９】
なお、本発明に係る通気ラベルは、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６０】
例えば、上記実施形態では、通気ラベル１，１０の一方向に沿った領域にのみ剥離吸着領域２が形成されているが、これに限定されるものではなく、例えば、図５（ａ）に示す通気ラベル１１のように、該一方向に直行する他方向に沿った領域においても剥離吸着領域２が形成されてもよい。つまり、四角形状の通気ラベル１１では、一方向に位置する両辺間、および、他方向に位置する両辺間のそれぞれに、剥離吸着領域２が形成される。
【００６１】
また、第一実施形態では、剥離吸着領域２と接離領域４とが略同一幅となるように形成されているが、これに限定されものではなく、例えば、図５（ｂ）に示す通気ラベル１２のように、剥離吸着領域２と接離領域４との幅が異なる（具体的には、剥離吸着領域２の幅の方が狭くなる）ように構成されてもよい。なお、接離領域４の幅とは、一の剥離吸着領域２の長手方向を一方向とした場合に、該一方向に直行する他方向に位置する接離領域４の両端間の長さをいう。
【００６２】
また、上記の通気ラベル１２では、剥離吸着領域２が一つ形成されているが、これに限定されるものではなく、例えば、図５（ｃ）に示す通気ラベル１３のように、二つの剥離吸着領域２が一方向に沿って形成され、二つの剥離吸着領域２の間に接離領域４が形成されてもよい。
【００６３】
また、通気ラベル１２，１３では、一方向に沿ってのみ剥離吸着領域２が形成されているが、これに限定されるものではなく、例えば、図５（ｄ）に示す通気ラベル１４のように、該一方向に沿って形成される剥離吸着領域２に加えて、該一方向に直行する他方向に沿って剥離吸着領域２が更に形成されてもよい。つまり、本実施形態では、四つの剥離吸着領域２のそれぞれが、接離領域４から四角形状の通気ラベル１４の各端辺に向かって形成される。
【００６４】
また、上記の通気ラベル１２では、一つの剥離吸着領域２が通気ラベル１２の一方向に位置する一端縁と重なるように構成されているが、これに限定されるものではなく、例えば、図６（ａ）に示す通気ラベル１５のように、複数の剥離吸着領域２が通気ラベル１５の一方向に位置する一端縁と重なるように構成されてもよい。本実施形態では、三つの剥離吸着領域２が通気ラベル１５の一方向に位置する一端縁と重なるように形成されると共に、他の三つの剥離吸着領域２が通気ラベル１５の一方向に位置する他端縁と重なるように形成される。
【００６５】
また、上記の通気ラベル１５では、各剥離吸着領域２が一方向に沿ってのみ形成されているが、これに限定されるものではなく、例えば、図６（ｂ）に示す通気ラベル１６のように、該一方向に沿って形成される各剥離吸着領域２に加えて、一方向に直行する他方向に沿っても剥離吸着領域２が複数形成されてもよい。
【００６６】
また、上記実施形態では、剥離吸着領域２は、各通気ラベルの一方向や他方向に沿った領域に形成されているが、これに限定されるものではなく、例えば、図６（ｃ）（ｄ）の通気ラベル１７，１８のように、一方向および他方向のそれぞれに対して交差する方向に沿った領域にも（つまり、放射状に）剥離吸着領域２が形成されてもよい。
【００６７】
また、上記の通気ラベル１２〜１６は、一方向に沿って略同一幅になるように剥離吸着領域２が形成されているが、これに限定されるものではなく、例えば、図７（ａ）〜（ｄ）に示す通気ラベル１９〜２２のように、剥離吸着領域２が接離領域４から離れるに従って拡開するように形成されてもよい。
【００６８】
また、図８（ａ）の通気ラベル２３のように、接離領域４の周囲に放射線状に複数の貼付領域３が形成され、隣り合う貼付領域３の間に剥離吸着領域２が形成されてもよい。
【００６９】
また、第二実施形態では、剥離吸着層６ａと貼付層６ｂとの境界を跨ぐように非貼付層４０ａが配置されて、接離領域４０が形成されているが、これに限定されるものではなく、例えば、上記の通気ラベル１〜２３における剥離吸着層６ａの内側に（即ち、剥離吸着層６ａと貼付層６ｂとの境界を跨ぐことなく）、非貼付層４０ａが配置されて、接離領域４０が形成されてもよい。これにより、例えば、図８（ｂ）に示す通気ラベル２４のように、剥離吸着領域２の内側に接離領域４０が形成される。
【００７０】
また、上記実施形態では、貼付層６ｂの一方の面に剥離吸着層６ａが積層され、剥離吸着層６ａの一方の面に非貼付層４０ａが積層されることで、剥離吸着領域２と、貼付領域３と、接離領域４０とが形成されているが、これに限定されるものではなく、例えば、図８（ｃ）に示す通気ラベル２５のように、本体層５における剥離吸着領域２に対応する領域に剥離吸着層６ａのみが積層されて剥離吸着領域２が形成されてもよく、本体層５における貼付領域３に対応する領域に貼付層６ｂのみが積層されて貼付領域３が形成されてもよく、本体層５における接離領域４０に対応する領域に非貼付層４０ａのみが積層されて接離領域４０が形成されてもよい。又は、図８（ｄ）に示す通気ラベル２６のように、本体層５の一方の面に貼付層６ｂを積層し、該貼付層６ｂにおける剥離吸着領域２に対応する領域に剥離吸着層６ａのみが積層されて剥離吸着領域２が形成されてもよく、貼付層６ｂにおける接離領域４０に対応する領域に非貼付層４０ａのみが積層されて接離領域４０が形成されてもよく、貼付層６ｂにおいて剥離吸着層６ａおよび非貼付層４０ａが積層されていない領域によって貼付領域３が形成されてもよい。
【００７１】
また、上記の通気ラベル１１〜２３において、粘着層６が非貼付層４０ａを備えるように構成されてもよい。斯かる場合、該非貼付層４０ａは、剥離吸着領域２の内側にのみ形成されてもよく、剥離吸着層６ａと貼付層６ｂとの境界を跨ぐように形成されてもよい。
【００７２】
また、上記実施形態では、各通気ラベルは、軟質包装材Ａに貼り付けられた際に、全体が軟質包装材Ａに密着するように構成されているが、これに限定されるものではなく、例えば、図９および１０に示す通気ラベル２７のように、軟質包装材Ａに貼り付けられた際に、軟質包装材Ａから部分的に離間した領域が形成されるように構成されてもよい。
【００７３】
斯かる通気ラベル２７は、図９（ａ）に示すように、主に、軟質包装材Ａに対して吸着性および粘着性を有さない（以下、タックフリーとも記す）ように構成された接離領域４１を備える点で、第一実施形態の通気ラベル１と異なる。接離領域４１は、通気ラベル２７（具体的には、本体層５）の外周縁よりも内側（本実施形態では、略中央部）に形成される。そして、通気ラベル２７では、剥離吸着領域２は、接離領域４１の外縁と接する位置から通気ラベル２７（本体層５）の外周縁と重なる位置まで連続的に形成される。本実施形態では、接離領域４１を中心に一方向に沿って一対の剥離吸着領域２，２が形成される。また、接離領域４１は、２つの剥離吸着領域２，２と、２つの貼付領域３とによって囲まれた領域に形成される。また、接離領域４１は、剥離吸着領域２の幅方向の端縁よりも貼付領域３側に部分的に突出するように形成される。
【００７４】
また、接離領域４１は、通気ラベル２７が軟質包装材Ａに貼り付けられた際に、軟質包装材Ａから離間した位置に保持される離間領域４１ａと、該離間領域４１ａの周囲に部分的に（又は、該全周に亘って）形成されて軟質包装材Ａに対して接離可能に（具体的には、タックフリーに）構成された非貼付領域４１ｂとから構成される。
【００７５】
離間領域４１ａは、通気ラベル２７が軟質包装材Ａに貼り付けられた際に、軟質包装材Ａにおける貫通孔Ａ１が形成された領域を覆うように構成される。一方、非貼付領域４１ｂは、離間領域４１ａの周囲の対称位置に一対形成される。つまり、一対の非貼付領域４１ｂ，４１ｂの間に離間領域４１ａが形成される。
【００７６】
また、非貼付領域４１ｂは、離間領域４１ａの外周に沿って長手となるように帯状に形成される。具体的には、非貼付領域４１ｂの長手方向の長さが剥離吸着領域２の幅よりも長くなるように形成される。そして、一対の非貼付領域４１ｂ，４１ｂによって接離領域４１の外周の一部が構成され、一対の非貼付領域４１ｂ，４１ｂそれぞれにおける長手方向の両端部間に剥離吸着領域２が連結される。
【００７７】
また、図９（ｂ）および図９（ｃ）に示すように、通気ラベル２７は、剥離吸着層６ａおよび貼付層６ｂに加え、剥離吸着層６ａと貼付層６ｂとの間にアンカー層６ｃを備える。該アンカー層６ｃは、軟質包装材Ａに対してタックフリーとなるように構成される。また、アンカー層６ｃは、剥離吸着層６ａと貼付層６ｂとの間に配置されることで、剥離吸着層６ａと貼付層６ｂとを間接的に接合する。つまり、アンカー層６ｃは、一方の面に剥離吸着層６ａが吸着し他方の面に貼付層６ｂが貼り付けられることで、剥離吸着層６ａと貼付層６ｂとを間接的に接合する。
【００７８】
また、通気ラベル２７は、非貼付領域４１ｂに対応する領域から剥離吸着領域２に対応する領域に渡って剥離吸着層６ａが連続的に形成され、離間領域４１ａに対応する領域には剥離吸着層６ａが形成されないように構成される。これにより、アンカー層６ｃにおける離間領域４１ａに対応する領域が通気ラベル２７の一方の面側（軟質包装材Ａに貼り付けられる側）に露出した状態となる。
【００７９】
アンカー層６ｃは、軟質包装材Ａに対して粘着性および吸着性を有さないシート材から構成されてもよく、軟質包装材Ａに対して粘着性および吸着性を有さない樹脂が印刷又は塗工されて構成されてもよい。非貼付層４１ｃを構成する原料としては、特に限定されるものではなく、例えば、ポリプロピレン，ポリエチレン，ポリスチレン等を用いることができる。
【００８０】
更に、通気ラベル２７は、軟質包装材Ａに対して接離可能に（具体的には、タックフリーとなるように）構成された非貼付層４１ｃを備える。つまり、通気ラベル２７は、剥離吸着層６ａと貼付層６ｂとアンカー層６ｃと非貼付層４１ｃとから構成される粘着層６１を備える。非貼付層４１ｃは、非貼付領域４１ｂに対応する領域に形成され、一対の非貼付層４１ｃ，４１ｃ間の領域が離間領域４１ａとなる。つまり、非貼付領域４１ｂでは、剥離吸着層６ａにおける離間領域４１ａ側の端部６１ａと非貼付層４１ｃとが積層されるように構成される。
【００８１】
非貼付層４１ｃは、軟質包装材Ａに対して粘着性および吸着性を有さないシート材から構成されてもよく、軟質包装材Ａに対して粘着性および吸着性を有さない樹脂が印刷又は塗工されて構成されてもよい。非貼付層４１ｃを構成する原料としては、特に限定されるものではなく、例えば、ポリプロピレン，ポリエチレン，ポリスチレン等を用いることができる。
【００８２】
そして、上記のように構成される通気ラベル２７が軟質包装材Ａに貼り付けられることで、図１０（ａ）に示すように、一対の非貼付層４１ｃ，４１ｃが軟質包装材Ａに当接して離間領域４１ａが軟質包装材Ａから離間した状態に保持（支持）される。これにより、離間領域４１ａと軟質包装材Ａとの間に空間（以下、ラベル内空間とも記す）２７Ｒが形成される。該ラベル内空間２７Ｒは、軟質包装材Ａの貫通孔Ａ１を介して内部空間Ｒ１と連通する。これにより、内圧が外圧よりも高くなることで、内部空間Ｒ１の気体が貫通孔Ａ１から排出されてラベル内空間２７Ｒに流入する。
【００８３】
また、通気ラベル２７が軟質包装材Ａに貼り付けられた状態で、剥離吸着層６ａにおける離間領域４１ａ側の端部（即ち、非貼付領域４１ｂに位置する端部）６１ａが他の部位から隆起する。なお、以下の説明では、剥離吸着層６ａにおける隆起した端部６１ａを隆起部６１ａと記す。
【００８４】
そして、内圧と外圧との差が所定の範囲を超えた場合には、図１０（ｂ）に示すように、ラベル内空間２７Ｒに流入した気体の圧力によって離間領域４１ａが押し上げられる（軟質包装材Ａからさらに離間する）。ここで、非貼付層４１ｃは、軟質包装材Ａに対して接離可能であるため（具体的には、タックフリーであるため）、内圧による離間領域４１ａの押し上げに伴って非貼付領域４１ｂが軟質包装材Ａから容易に離間する。これにより、接離領域４１が軟質包装材Ａから離れる方向へ変位する。そして、斯かる接離領域４１の変位（具体的には、非貼付領域４１ｂの離間）に伴って剥離吸着領域２が接離領域４１側の位置において軟質包装材Ａから剥離される。これにより、ラベル内空間２７Ｒ内の気体が剥離吸着領域２と軟質包装材Ａとの間に入り込む。
【００８５】
このように剥離吸着領域２と軟質包装材Ａとの間に入り込んだ気体は、内圧の作用によって剥離吸着領域２を軟質包装材Ａから剥離させつつ通気ラベル２７の端部へ向かって移動する。そして、剥離吸着領域２と軟質包装材Ａとの間に入り込んだ気体が剥離吸着領域２における外部空間Ｒ２と接する端縁（通気ラベル１の端縁）にまで達することで、図１０（ｃ）に示すように、通気ラベル２７（具体的には、剥離吸着領域２および接離領域４１）と軟質包装材Ａとの間に通気路Ｖが形成される。該通気路Ｖは、貫通孔Ａ１を介して内部空間Ｒ１と連通すると共に、剥離吸着領域２の端縁と重なる位置で外部空間Ｒ２と連通する。つまり、該通気路Ｖが形成されることで、内部空間Ｒ１と外部空間Ｒ２とが連通した状態となるため、内部空間Ｒ１の気体が該通気路Ｖを通じて外部空間Ｒ２へ放出され、内部空間Ｒ１と外部空間Ｒ２との気圧差を解消することができる。
【００８６】
そして、上記のようにして内部空間Ｒ１と外部空間Ｒ２との気圧差が解消されて所定の範囲となった後は、剥離吸着領域２が軟質包装材Ａに再吸着すると共に、非貼付領域４１ｂが軟質包装材Ａに当接する。これにより、内部空間Ｒ１の密封状態が再び維持される。
【００８７】
以上のように、通気ラベル２７は、離間領域４１ａおよび非貼付領域４１ｂ（非貼付層４１ｃ）を備えることで、貫通孔Ａ１から排出される気体の圧力による離間領域４１ａの変位に伴って非貼付領域４１ｂ（非貼付層４１ｃ）が容易に軟質包装材Ａから離間する。また、隆起部６１ａが形成されることで、隆起部６１ａが形成されない場合（即ち、剥離吸着層６ａの全体が軟質包装材Ａに吸着している場合）よりも低圧で（詳しくは、内部空間と外部空間との気圧差が比較的小さい場合であっても）、剥離吸着領域２を軟質包装材Ａから剥離させることができる。
【００８８】
具体的には、上述のように非貼付領域４１ｂが軟質包装材Ａから離間することによって隆起部６１ａも軟質包装材Ａから離間する方向に変位する。この際、剥離吸着層６ａにおける軟質包装材Ａに吸着している領域のうち隆起部６１ａと連なる部分に対して軟質包装材Ａから剥離する方向（隆起部６１ａの変位する方向）に効率的に力が加わることになる。これにより、内部空間と外部空間との気圧差が比較的小さい場合であっても、剥離吸着領域２が軟質包装材Ａから剥離して通気路Ｖが形成されるため、内部空間と外部空間との気圧差を解消することができる。
【００８９】
また、離間領域４１ａに剥離吸着層６ａが形成されず、アンカー層６ｃが露出した状態であり、更にアンカー層６ｃがタックフリーであるため、離間領域４１ａが軟質包装材Ａ側へ付勢されて湾曲し軟質包装材Ａと接触した状態となっても、離間領域４１ａが軟質包装材Ａに付着するのを防止することができる。
【００９０】
また、上記の各実施形態では、剥離吸着領域２が本体層５の端縁と重なるように形成されているが、これに限定されるものではなく、例えば、剥離吸着領域２が本体層５の端縁よりも本体層５の内側に（つまり、本体層５の端縁と重ならないように）形成されてもよい。斯かる場合には、通気ラベルが軟質包装材Ａに貼り付けられた状態では、本体層５と軟質包装材Ａとの間で剥離吸着領域２が外部空間Ｒ２と接するように構成される。
【００９１】
軟質包装材Ａとしては、各実施形態の通気ラベルの部分的な変位（変形）に伴って変形可能な程度に軟質なものであれば、特に限定されるものではなく、シート状であっても板状であってもよい。
【実施例】
【００９２】
以下、本発明の実施例について説明する。
１．試験体の作製
ＰＥＴ系樹脂からなる軟質包装材をピロー包装機を用いて成形し、閉塞された内部空間を備える包装体を作製した。具体的には、軟質包装材を筒状にして重なる端部をヒートシールすると共に、軸方向の両端開口部をヒートシールして閉塞することで閉塞された内部空間（容積：５００ｃｃ）を備える包装体を形成した。軟質包装材には、８ｍｍ×８ｍｍの領域内に貫通孔（φ０．１ｍｍ）が６個形成されており、複数の貫通孔が形成された領域は、包装材の中央部に位置する。
【００９３】
上記実施形態に係る通気ラベル１，１１〜２３のそれぞれを用いて、貫通孔を密閉し、各通気ラベル毎に試験体を作製した。各通気ラベルの大きさは、４ｃｍ２とした。なお、試験体は、通気ラベルの種類毎に５個ずつ作製した。使用した各通気ラベルについては、下記表１に示す。
【００９４】
２．内圧の測定
各試験体に、内圧を測定するシール強度試験機の針を差し込んで、針の周囲を密閉した。その後、シール強度試験機の針から内部空間に空気を送り込んで内部空間を加圧しつつ内圧を測定した。そして、通気ラベルの作用によって貫通孔から内部空間の気体が流出した際の内圧（以下、最低開口圧とする）を読み取った。試験結果については、下記表１に示す。
【００９５】
３．再開口性、再密閉性の試験
上記のようにして、試験体の内部空間を加圧し、通気ラベルの作用によって貫通孔から内部空間の気体を流出させることで、内圧を低下させた後、加圧を停止して５分間放置した。これにより、通気ラベルの剥離吸着領域を軟質包装材に再吸着させた。その後、再度、内部空間を加圧して内圧を測定し、内圧の上昇度合いを確認した。つまり、内圧が上昇すれば再密閉性が良好であり、上記の最低開口圧（平均値）と同等の内圧で上昇が止まれば、再開口性が良好である。なお、再開口性および再密閉性については、Ａ〜Ｅの５段階で評価し、Ａが最も良好な状態を示す。
【００９６】
【表１】
0005938433.tif 000002
【００９７】
４．まとめ
表１を見ると、各通気ラベルとも、内圧を効果的に低減できることが認められる。特に、通気ラベル１，１２の構成を有することで、低い内圧であっても効果的に内圧を低減できることが認められる。また、軟質包装材に接触する面積における剥離吸着領域が占める割合が大きいものほど、最大気圧に達した後の内圧低下が迅速であることが認められるが、再密閉性が悪い（時間がかかる）ことが認められる。なお、再開口性については、各試験体とも、良好な開口性を示すことが認められた。また、再密閉性については、試験体毎に密閉されるまでの時間に差があり、斯かる時間の差によってＡ〜Ｅの評価が付されているが、各試験体とも良好な再密閉性を示すことが認められた。
【符号の説明】
【００９８】
１〜２７…通気ラベル、２…剥離吸着領域、３…貼付領域、４，４０，４１…接離領域、５…本体層、６，６０，６１…粘着層、６ａ…剥離吸着層、６ｂ…貼付層、６ｃ…アンカー層、２７Ｒ…ラベル内空間、４０ａ，４１ｃ…非貼付層、４１ａ…離間領域、４１ｂ…非貼付領域、６１ａ…隆起部、Ａ…軟質包装材、Ａ１…貫通孔、Ｂ…包装体、Ｒ１…内部空間、Ｒ２…外部空間、Ｖ…通気路
【図１】
0005938433.tif 000003
【図２】
0005938433.tif 000004
【図３】
0005938433.tif 000005
【図４】
0005938433.tif 000006
【図５】
0005938433.tif 000007
【図６】
0005938433.tif 000008
【図７】
0005938433.tif 000009
【図８】
0005938433.tif 000010
【図９】
0005938433.tif 000011
【図１０】
0005938433.tif 000012